(57)【要約】      （修正有）【課題】管の長いときや曲がりが複雑な排水管、及び、詰まり物の形状や構成に関係なく通管でき、専門技術者でなくても一般家庭の人でも簡単に使用できる簡素で安価な通管用具及びこれを用いた通管方法を提供する。【解決手段】通管用具は、排水管１６の開口部１７に挿入される管体２と、管体２の末端部に接続される導液管１３とを備えて成り、管体２の先端部に噴液孔１０が貫通して形成され、管体２の外周面に通液孔１１が貫通して形成され、管体２の外周面の外方にゴム製筒体９が配備され、管体２の外周面とゴム製筒体９との間に密閉袋部２２が形成され、導液管１３から管体２内へ導入された加圧液体が通液孔１１を通って密閉袋部２２内に入ることにより、ゴム製筒体９が弾性変形し管体径方向外向きに膨張して排水管１６の内周面１６Ａに密着する。【選択図】図７
2012202200.tif 000002
【特許請求の範囲】
【請求項１】
排水管の開口部に挿入される管体と、加圧液体を排水管内に導入するために管体の末端部に接続される導液管とを備えて成り、管体の先端部に噴液孔が貫通して形成され、管体の外周面に通液孔が貫通して形成され、管体の外周面の外方にゴム製筒体が配備され、ゴム製筒体における前記通液孔よりも先端部寄りの位置と前記通液孔よりも末端部寄りの位置とがそれぞれ密封されることにより、管体の外周面とゴム製筒体との間に密閉袋部が形成され、導液管から管体内へ導入された加圧液体が通液孔を通って密閉袋部内に入ることにより、ゴム製筒体が弾性変形し管体径方向外向きに膨張して排水管の内周面に密着する構成にされていることを特徴とする通管用具。
【請求項２】
噴液孔に、管体内圧力が所定圧力を超えたときに開く圧力調整弁が配備されていることを特徴とする請求項１に記載の通管用具。
【請求項３】
請求項１または請求項２に記載の通管用具における管体を、詰まりを除去しようとする排水管の開口部から挿入し、導液管から密閉袋部内への加圧液体の導入によりゴム製筒体を膨張させ排水管の内周面に密着させてゴム製筒体の外周面と排水管の内周面との隙間を封止し、管体の噴液孔から加圧液体を排水管内に噴出させることを特徴とする通管方法。
【発明の詳細な説明】
【技術分野】
【０００１】  本発明は、排水管の詰まりを除去して排水管を貫通させる通管用具、及びこれを用いた通管方法に関するものである。
【背景技術】
【０００２】  一般に、家庭などで排水管が詰まると、ワイヤを排水管に挿入し詰まりをワイヤで突いて除去するようにしている。ところが、このようにワイヤを用いると、ワイヤを引き抜くときに汚水が垂れて周囲を汚すことがある。また、ワイヤでは届く距離に限りがあり、しかも短い場合が多い。更に、ワイヤは排水管の曲がり部分から先へ進まないことがある。【０００３】  そこで、前記したような不具合に応える為、下記の特許文献１に記載された通管用具が本発明者により開発されている。この通管用具は、詰まりを除去しようとする排水管の開口部へ先端部が挿入される管体と、加圧液体を排水管へ導入するために管体に接続された導液管と、管体の先端部の外周に設けられ、圧縮流体の導入により管体径方向外向きに膨張して排水管の内周面に密着する袋体とを備えている。
【先行技術文献】
【特許文献】
【０００４】
【特許文献１】  特開２００１−１４６７８２号公報
【発明の概要】
【発明が解決しようとする課題】
【０００５】  前記した特許文献１記載の通管用具によれば、排水管の開口部に管体の先端部を挿入し、圧縮流体を袋体に導入させて膨らませることにより排水管の開口部を封止する。その状態で、排水管内へ加圧液体を導入することにより、排水管の管通しを行うようになっている。
しかしながら、特許文献１記載の通管用具では、管体と排水管内周面との間を密封する作用が空気などの圧縮流体によるものであり、排水管内の詰まりを除去する作用が排水管内に導入された水などの加圧液体によるものであるので、互いに異なる流体とそれぞれ専用の導入部品を必要とする。そのため、構成が複雑で製造コストが高くなり、作業時の取扱いにも手間がかかるという不具合があった。【０００６】  本発明は、上記した従来の問題点に鑑みてなされたものであって、管の長いときや曲がりが複雑な排水管、及び、詰まり物の形状や構成に関係なく通管でき、専門技術者でなくても一般家庭の人でも簡単に使用できる簡素で安価な通管用具、及びこれを用いた通管方法の提供を目的とする。
【課題を解決するための手段】
【０００７】  上記目的を達成するために、本発明に係る通管用具は、排水管の開口部に挿入される管体と、加圧液体を排水管内に導入するために管体の末端部に接続される導液管とを備えて成り、管体の先端部に噴液孔が貫通して形成され、管体の外周面に通液孔が貫通して形成され、管体の外周面の外方にゴム製筒体が配備され、ゴム製筒体における前記通液孔よりも先端部寄りの位置と前記通液孔よりも末端部寄りの位置とがそれぞれ密封されることにより、管体の外周面とゴム製筒体との間に密閉袋部が形成され、導液管から管体内へ導入された加圧液体が通液孔を通って密閉袋部内に入ることにより、ガム製筒体が弾性変形し管体径方向外向きに膨張して排水管の内周面に密着する構成にされているものである。【０００８】  また、前記の構成における噴液孔に、管体内圧力が所定圧力を超えたときに開く圧力調整弁が配備されているものである。【０００９】  そして、本発明に係る通管方法は、請求項１または請求項２に記載の通管用具における管体を、詰まりを除去しようとする排水管の開口部から挿入し、導液管から密閉袋部内への加圧液体の導入によりゴム製筒体を膨張させ排水管の内周面に密着させてゴム製筒体の外周面と排水管の内周面との隙間を封止し、管体の噴液孔から加圧液体を排水管内に噴出させるものである。
【発明の効果】
【００１０】  以上述べたように、本発明に係る通管用具及び通管方法によれば、深い位置の排水管でもその開口部に通管用具３の先端部を挿入しさえすれば、あとは地面上などで操作することができる。これにより、排水管内へ加圧液体を導入することができる。従って、家庭でも手軽、迅速、かつ、確実に排水管の管通しを行うことができる。また、排水管の開口部から詰まりまでの距離がいくぶんか長い場合や、排水管に曲がり部分がある場合であっても、加圧液体単独の作用  によって詰まりを除去することができる。特に、本発明によれば、ひとつの加圧液体だけで、管体を膨張させて排水管内を密封する作用と、排水管内に加圧液体を送り込む作用の双方を呈することができる。そのため、流体を扱う部品が一系統だけで済むので、構成が簡素で安価なものを提供できる。また、一系統の弁開閉操作だけで済むので使い勝手がよい。【００１１】  また、圧力調整弁を噴液孔に配備したものでは、管体内圧力が所定圧力に達するまではゴム製筒体の膨張及び管体内の蓄圧に寄与する。一方、管体内圧力が所定圧力を超えると噴液孔を開いて、それまで管体内で蓄圧されていた加圧液体を噴液孔から排水管内に一気に噴き出すことができる。それにより、高い噴射液圧と強い衝撃力を備えた加圧液体を排水管内の詰まりに向けて噴射できるから、確実に詰まりを除去できるという効果がある。
【図面の簡単な説明】
【００１２】
【図１】本発明の一実地形態に係る通管用具を示す構成図である。
【図２】前記の通管用具の正面図である。
【図３】前記の通管用具の一部断面を含む右側面図である。
【図４】前記の通管用具の左側面図である。
【図５】図２における通管用具のＡ−Ａ要部断面図である。
【図６】図２における通管用具のＢ−Ｂ要部断面図である。
【図７】前記の通管用具を排水管に挿入した状態を示す要部断面図である。
【発明を実施するための最良の形態】
【００１３】  本発明の実施形態を図面に基づいて説明する。尚、以下に述べる実施形態は本発明を具体化した例に過ぎず、本発明の技術的範囲を限定するものでない。
図１は本発明の一実地形態に係る通管用具を示す構成図、図２は前記の通管用具の正面図、図３は前記の通管用具の一部断面を含む右側面図、図４は前記の通管用具の左側面図、図５は図２における通管用具のＡ−Ａ要部断面図、図６は図２における通管用具のＢ−Ｂ要部断面図である。
各図において、この実施形態に係る通管用具１は、排水管に挿入される管体ユニット２Ｙと、管体ユニット２Ｙの末端部２Ｂの管体導液孔８に接続される導液管１３とから構成されている。管体ユニット２Ｙは、合成樹脂を原材料として円筒形状に一体成型された管体２と、管体２の外周面の外方に配備されるゴム製筒体９と、管体２の先端部２Ａ及び末端部２Ｂでゴム製筒体９の外周面を固定しそれぞれを封着する固定バンド１２，１２とから構成されている。【００１４】  前記した管体２の先端部２Ａ及び末端部２Ｂは、先端部２Ａと末端部２Ｂとの間の部分よりも大径に形成されている。先端部２Ａの端面には噴液孔１０が管心方向に貫通して形成され、管体７の末端部２Ｂの端面には管体導液孔８が管心方向に貫通して形成されている。管体２の各所寸法は特に限定されないが、先端部８及び末端部２Ｂの外径は例えば６５ｍｍにされている。また、噴液孔１０の孔径は、管体導液孔８の孔径よりも小さな径に設定されている。管体２において先端部２Ａと末端部２Ｂとの間の部分の外周面２Ｃには、多数の通液孔１１，１１，１１，・・・が管径方向に貫通して形成されている。そして、管体２の外周面２Ｃの外方に、ゴム製筒体９が配備されている。管体２の通液孔１１，１１，１１，・・・よりも先端部２Ａ寄りに位置するゴム製筒体９の位置９Ａと、管体２の通液孔１１，１１，１１，・・・よりも末端部２Ｂ寄りに位置するゴム製筒体９の位置９Ｂは、それぞれ、固定バンド１２，１２で全周にわたって封着されている。これにより、管体２の外周面２Ｃとゴム製筒体９との間に密閉袋部２２が形成される。【００１５】  噴液孔１０の途中には、圧力調整弁２３を収容するための弁収容空間２６が形成されている。圧力調整弁２３は、噴液孔１０を開閉するボール弁２４と、ボール弁２４を弁収容空間２６の液噴出方向上流側の壁に押圧するコイルバネ２５とから構成されている。これらのボール弁２４とコイルバネ２５が弁収容空間２６内に装入されている。コイルバネ２５のバネ力は、管体内空間２７での圧力が後述の所定圧力を超えたときにその圧力に打ち負けてボール弁２４を開くように、予め設定されている。【００１６】  ゴム製筒体９の厚さは、加圧液体Ｗの圧力により膨張可能なものであれば特に限定されないが、例えば１．０〜２．５ｍｍ程度である。このゴム製筒体９を構成するゴム材として、この例では、軟質のネオプレン／クロロプレンゴムであるＣＲ４５が使用されている。このネオプレン／クロロプレンゴム（ＣＲ）は、耐油性、耐候性、耐熱性に富み、比較的安価で入手容易であることから、ゴム製筒体９の素材として好適である。但し、本発明の管体に用いるゴム材としては、ネオプレン／クロロプレンゴムに替えて、例えば、天然ゴム（ＮＲ）、ニトリルゴム（ＮＢＲ）、水素化ニトリルゴム（ＨＮＢＲ）、エチレン−プロピレンゴム（ＥＰＤＭ）、ブチルゴム（ＢＲ）、またはスチレンブタジエンゴム（ＳＢＲ）などを使用することも可能である。【００１７】  そして、管体ユニット２Ｙの管体導液孔８とホースなどの導液管１３の一端部とが接続され固定バンド５で固定されている。導液管１３の他端部は逆支弁付きコック７の一端部と接続され固定バンド６で固定さ���ている。逆支弁付きコック７の他端部は別の導液管１３の一端部と接続され固定バンド６で固定されている。この導液管１３の他端部は蛇口１５と接続され固定バンド４で固定されている。蛇口１５は導液管１９を介して加圧液体Ｗの供給源と接続されている。【００１８】  引き続き、通管用具１による排水管１６の通管方法につき、図７を用いて説明する。この場合において、詰まり１８を除去しようとする排水管１６の開口部１７に、作業者が通管用具１の管体ユニット２Ｙをその先端部から挿入する。その後、逆止弁付きコック７を開栓すると、導液管１３からの加圧液体Ｗ（ここでは例えば圧力が０．３ＭＰａ程度の水道水）が管体２の管体導液孔８から管体内空間２７内に入る。管体内空間２７内へ導入された加圧液体Ｗは通液孔１１，１１，１１，・・・を通って密閉袋部２２内に流入する。これにより、ゴム製筒体９の内周面が管体径方向外向きに押されることにより、弾性変形し膨張して排水管１６の内周面１６Ａに密着する。このようにしてゴム製筒体９の外周面９Ｃと排水管１６の内周面１６Ａとの隙間１７ａが密封されるのである。尚、ゴム製筒体９内の密閉袋部２２及び管体２内の管体内空間２７の圧力Ｗ１が所定圧力（水道水圧０．３ＭＰａよりも低い、例えば０．２７ＭＰａ）を超えるまでは、圧力調整弁２３が噴液孔１０を閉止しているため、加圧液体Ｗがゴム製筒体９を膨張させながら、密閉袋部２２内及び管体内空間２７内を蓄圧している。【００１９】  続いて、ゴム製筒体９内の密閉袋部２２及び管体２内の管体内空間２７の圧力Ｗ１が所定圧力（水道水圧０．３ＭＰａよりも低い、例えば０．２７ＭＰａ）を超えると、圧力調整弁２３のボール弁２４が作動して噴液孔１０を開く。これにより、それまでの間に蓄圧していた加圧液体Ｗが噴液孔１０を経て排水管１６内に勢いよく噴き出し、それに伴って排水管１６内の詰まり１８が矢印２１の方向に押し流されて除去される。その後、逆支弁付きコック７を閉めると、密閉袋部２２内及び管体内空間２７内の加圧液体Ｗは液抜き孔２８から徐々に排水管１６内に流出する。これにより、密閉袋部２２内及び管体内空間２７内の圧力が下がってゴム製筒体９が縮径し、ゴム製筒体９の外周面９Ｃが排水管１６の内周面１６Ａから離れるのである。これにより、管体ユニット２Ｙを排水管１６から抜き出せるようになる。【００２０】  この実施形態に係る通管用具１及びこれを用いた通管方法によれば、排水管１６が深いところにあったとしても管体ユニット２Ｙを持って、排水管１６の開口部１７に管体ユニット２Ｙをその先端部から挿入しさえすれば、後け地面２０上で逆支弁付きコック７の開閉操作をするだけですむ。これにより、拡径したゴム製筒体９によって排水管１６内が封止されるとともに、排水管１６内へ加圧液体Ｗが導入される。従って、専門技術者でなくても一般家庭の人でも、手軽に、迅速に、あるいは確実に、排水管１６の管通し作業を行うことができる。また、排水管１６の開口部１７から詰まり１８までの距離が長い場合や、排水管１６に曲がり部分がある場合であっても、加圧液体Ｗが作動源となっているから、詰まり除去動作にはほとんど影響しない。【００２１】  特に、この通管用具１では、ひとつ��流体（加圧液体Ｗ）だけで、ゴム製筒体９を膨張させて排水管１６内を密封する作用と、排水管１６内に加圧液体Ｗを送り込む作用の、双方を呈することができる。そのために、流体を扱う部品が一系統だけで済むから構成が簡素で安価になる。すなわち、この通管用具１は管内径が７５ｍｍや１００ｍｍ以上といった比較的大径の排水管に用いるものとして適している。また、一系統の弁操作だけで済むので使い勝手がよい。
更に、この通管用具１は噴液孔１０に圧力調整弁２３を備えているので、管体内空間２７内の圧力が所定圧力に達するまではゴム製筒体９の膨張及び管体内空間２７内の蓄圧に寄与する。一方、管体内空間２７内の圧力が所定圧力を超えると噴液孔１０を開いて、蓄圧されていた加圧液体Ｗを排水管１６内に一気に噴き出すことができる。それにより、噴液孔１０に圧力調整弁２３が無い場合と比べて、高い噴射液圧と強い衝撃力を備えた加圧液体Ｗを詰まり１８に向けて噴射できるから、確実に詰まり１８を除去することができる。【００２２】  一方で、排水管１６への管体ユニット２Ｙの挿入に先立って、排水管１６内に予め氷片やスポンジ小片を投入しておくと、詰まり１８に存在する漏水可能な微小隙間を、加圧液体Ｗによる加圧時に氷片やスポンジ小片が塞いで加圧ロスを少なくする。特に、スポンジ小片は弾力性に富み水を含むと通気しにくくなるため、詰まりの微小隙間を十分に塞ぐ。そして、用済み後に氷片は融けて無害な水となるため、後処理の手間をかけることがない。また、氷片はどの家庭でも容易に調達できるという利点がある。【００２３】  尚、本発明に係る管体や構成に関して、それぞれの形状や連結状態は、上述した実施形態のものに限らない。一方、本発明に係る加圧液体としては、入手容易、安価、安全、後処理容易などの観点から水がもっとも好ましいが、水以外に、例えば植物油、グリセリン、エチレングリコールその他の安全な液体を用いても構わない。
また、上記では、管体２の噴液孔１０内に圧力調整弁２３を配備した例を示したが、圧力調整弁を備えていない噴液孔を有するものも本発明に含まれる。その場合は、管体内空間内及び密閉袋部内に導入された加圧液体によりゴム製筒体を膨張させ得るように、管体における先端側の噴液孔の孔径と末端側の管体導液孔の孔径を調整すればよい。
【符号の説明】
【００２４】１  通管用具
２  管体
２Ａ  先端部
２Ｂ  末端部
２Ｃ  外周面
２Ｙ  管体ユニット
４  固定バンド
５  固定バンド
６  固定バンド
７  逆支弁付きコック
８  管体導液孔
９  ゴム製筒体
９Ａ  位置
９Ｂ  位置
９Ｃ  外周面
１０  噴液孔
１１  通液孔
１２  固定バンド
１３  導液管
１５  蛇口
１６  排水管
１６Ａ  内周面
１７  開口部
１７ａ  隙間
１８  詰まり
１９  導液管
２０  地面
２１  矢印方向
２２  密閉袋部
２３  圧力調整弁
２４  ボール弁
２５  コイルバネ
２６  弁収容空間
２７  管体内空間
２８  液抜き孔
Ｗ    加圧液体
Ｗ１  圧力
【図１】
2012202200.tif 000003
【図２】
2012202200.tif 000004
【図３】
2012202200.tif 000005
【図４】
2012202200.tif 000006
【図５】
2012202200.tif 000007
【図６】
2012202200.tif 000008
【図７】
2012202200.tif 000009